(57)【要約】  本発明はＴＶチューナ入力回路に関する。入力回路は、周波数が互いにほぼ連続する第１、第２、第３のＴＶ周波数帯域の所望の周波数を並行して選択するためにアンテナ入力（ＲＦＩ）を第１（３３０）、第２（３４０）、第３（３５０）の並行同調可能なＲＦ共振回路に対して結合するＲＦ結合装置を備えている。第１のＲＦ共振回路は第１のＲＦ共振回路インダクタンス（Ｌ６）を備え、上記ＲＦ結合装置は、高帯域スイッチ（Ｖｈｉｇｈ）を使用して切換式キャパシタ（Ｃｕ）により起動される上記第１のＲＦ共振回路インダクタンス（Ｌ６）と磁気結合可能な第１の直列インダクタンス（Ｌ３）を有している。１つの実施形態において、第３のＲＦ共振回路は同調１／２ＲＦトラップ（３２０）を含んでいる。他の実施形態において、ＲＦ結合装置はＦＭトラップ（３８０）を更に備え、ＦＭトラップ（３８０）は、ＦＭスイッチ（Ｖｆｍ）を使用してキャパシタ（Ｃｉｎｆ１）を切り換えることによりバイパスされ得る。
2007538450.tif 000002
【特許請求の範囲】
【請求項１】
周波数が互いにほぼ連続する第１、第２、第３のＴＶ周波数帯域の所望の周波数を並行して選択するためにアンテナ入力（ＲＦＩ）を第１（３３０）、第２（３４０）、第３（３５０）の並行同調可能なＲＦ共振回路に対して結合するＲＦ結合装置を備えるＴＶ−ＲＦ入力回路であって、
前記第１のＲＦ共振回路（３３０）が第１のＲＦ共振回路インダクタンス（Ｌ６）を備え、前記ＲＦ結合装置は、高帯域スイッチ（Ｖｈｉｇｈ）を使用して切換式キャパシタ（Ｃｕ）により起動される前記第１のＲＦ共振回路インダクタンス（Ｌ６）と磁気結合可能な第１の直列インダクタンス（Ｌ３）を有している、ＴＶ−ＲＦ入力回路。
【請求項２】
前記第３のＲＦ共振回路が同調１／２ＲＦトラップ（３２０）を含んでいる、請求項１に記載のＴＶ−ＲＦ入力回路。
【請求項３】
前記ＲＦ結合装置がＦＭトラップ（３８０）を更に備え、当該ＦＭトラップ（３８０）は、ＦＭスイッチ（Ｖｆｍ）を使用してキャパシタ（Ｃｉｎｆ１）を切り換えることにより実質的にバイパスされ得る、請求項２に記載のＴＶ−ＲＦ入力回路。
【請求項４】
周波数が互いにほぼ連続する第１、第２、第３のＴＶ周波数帯域の所望の周波数を並行して選択するためにアンテナ入力を第１、第２、第３の並行同調可能なＲＦ共振回路に対して結合するＲＦ結合装置を含むＴＶ−ＲＦ入力回路を備えるチューナであって、
前記第１のＲＦ共振回路（３３０）が第１のＲＦ共振回路インダクタンス（Ｌ６）を備え、前記ＲＦ結合装置は、高帯域スイッチ（Ｖｈｉｇｈ）を使用して切換式キャパシタ（Ｃｕ）により起動される前記第１のＲＦ共振回路インダクタンス（Ｌ６）と磁気結合可能な第１の直列インダクタンス（Ｌ３）を有している、チューナ。
【請求項５】
前記第３のＲＦ共振回路が同調１／２ＲＦトラップ（３２０）を含んでいる、請求項４に記載のチューナ。
【請求項６】
前記ＲＦ結合装置がＦＭトラップ（３８０）を更に備え、当該ＦＭトラップ（３８０）は、ＦＭスイッチ（Ｖｆｍ）を使用してキャパシタ（Ｃｉｎｆ１）を切り換えることにより実質的にバイパスされ得る、請求項５に記載のチューナ。
【発明の詳細な説明】
【技術分野】
【０００１】
本発明は、周波数が互いにほぼ連続する第１、第２、第３のＴＶ周波数帯域の所望の周波数を並行して選択するためにアンテナ入力を第１、第２、第３の並行同調可能なＲＦ共振回路に対して結合するＲＦ結合装置が設けられたＴＶ−ＲＦ入力回路であって、上記ＲＦ結合装置の雑音指数が大きく改善されるＴＶ−ＲＦ入力回路に関する。
【０００２】
本発明は、特に、例えば視聴しているＴＶの放送内容に対して、または、視聴しているマトリクスディスプレイすなわち例えば携帯機器等の一部のアナログおよびデジタル放送内容に対して改善をもたらすＴＶチューナおよびＴＶフロントエンドに関する。
【背景技術】
【０００３】
既知のＴＶチューナにおいては、一方側の結合装置と他方側のチューナのＴＶ−ＩＦ出力との間に配置された互いに並列な第１、第２、第３の信号経路のそれぞれに第１、第２、第３のＲＦ共振回路が設けられている。アンテナのＴＶ受信信号全体は、ＲＦ結合装置を介して広帯域で各ＲＦ共振回路に対して印加される。ＲＦ共振回路は、１つの共通の同調電圧から互いにほぼ隣接して連続するＴＶ周波数帯域へと並行に同調可能である。第１、第２、第３のＲＦ共振回路を用いると、約４５ＭＨｚ〜１６０ＭＨｚ、１６０ＭＨｚ〜４７０ＭＨｚ、４７０ＭＨｚ〜８６０ＭＨｚのそれぞれのＴＶ周波数帯域でＴＶチャンネルが選択される。各信号経路はＲＦ共振回路の下流側に配置された増幅器ステージ（増幅段）を備えており、この増幅器ステージもバンドスイッチとして機能し、この増幅器ステージの後に、更なる同調可能なＴＶチャンネルフィルタと、同調オシレータからオシレータ混合信号が印加されるミキサーステージとが続く。信号経路のうちの１つは切り換え信号によりアクティブにされる。すなわち、信号経路のうちの１つのバンドスイッチに先行するＲＦ共振回路で選択されたＴＶチャンネルは、ＴＶ−ＩＦ信号への更なる選択および変換のため、このバンドスイッチを介してつながれる。
【０００４】
米国特許第４，８５１，７９６号に記載された従来技術のチューナにおいて、ＴＶ−ＲＦ入力回路は、互いに大きさの度合いが等しい第２および第３の直列インダクタンスが第１および第２の誘導分流分岐部のそれぞれに配置され、上記第２および第３の直列インダクタンスの一端が容量直列分岐部に配置されたキャパシタの一方側に対して結合されるとともに、他端が第２および第３のＲＦ共振回路のそれぞれに対して結合され、上記第１の直列インダクタンスが他の２つの直列インダクタンスのそれぞれよりも少なくとも数倍大きいことを特徴としている。第１、第２、第３のＴＶ周波数帯域が実質的に４５〜１６０ＭＨｚ、１６０〜４７０ＭＨｚ、４７０〜８６０ＭＨｚであるこの従来技術のチューナの一実施形態において、ＴＶ−ＲＦ入力回路は、第１、第２、第３の直列インダクタンスが、第１、第２、第３のＴＶ周波数帯域のそれぞれの範囲内での同調変化のためにこれらのインダクタンスに対して結合されたＲＦ共振回路のそれぞれのインピーダンス変化を少なくとも部分的に補償するとともに、これらのインピーダンスをアンテナインピーダンスと一致させることを特徴としている。
【０００５】
１９９０年代以後、ＴＶ用の地上アナログ受信器において米国特許第４，８５１，７９６号のＴＶ−ＲＦ入力回路が使用されてきた。米国特許第４，８５１，７９６号のＴＶ−ＲＦ入力回路の僅かに変更された概念は、依然として使用されており、今ではデジタル地上用に拡張されている。この入力回路は、切換型２帯域の概念よりも依然として優れており、大型スクリーンフラットＴＶ（ＰＤＰ、ＬＣＤ、投影機）用の高性能アナログ／デジタルチューナのための基盤である。しかしながら、特に無線放送用途および携帯電話用途においては、デジタルおよびアナログの両方で、多くの問題を扱わなければならない。
【０００６】
イミュニティ（耐雑音障害性）のため、デジタルＴＶは、当初から、既存のアナログＴＶと比較して送信電力が低減されている。これらの送信器、および、これに加えて、既存の市民バンドおよび従来のＦＭラジオは、２０１０年まで或いはそれ以降まで依然として使用されるであろう。これらの送信器は、最終的にＯＦＦに切り換えられるとしてもそれまで移動でき或いは固定される広帯域アンテナに関して問題を与えるものと考えられる。
【０００７】
米国特許第４，８５１，７９６号のＴＶ−ＲＦ入力回路は以下の欠点を有している。すなわち、任意の帯域でＣＢトラップが無く、ＦＭトラップが無く、使用される大きな結合／マッチングコイルに起因してＵＨＦにおいては低帯域（特にエッジで）で雑音指数が高く（ＦＮＡＣにおける要件は一般にＳ／Ｎ４７ｄＢである）、大きな同調／マッチングコイルが小型化を困難にし（これ以外に、マイクロフォニーを防止するためにコイルを機械的に固定しなければならず、また、コイルは高帯域で問題を引き起こす自己共振を有している）、また、サージ保護が十分に高くない。
【発明の開示】
【課題を解決するための手段】
【０００８】
したがって、本発明の目的は、低い雑音指数でＲＦ信号を受信するためのチューナ入力回路を提供することである。
【０００９】
本発明の他の目的は、高帯域スイッチおよび切換可能なＦＭトラップのうちの少なくとも一方を備える、ＲＦ信号を受信するためのチューナ入力回路を提供することである。これら両者の提供により、低い雑音指数を維持しつつ望ましくない信号の除去が向上される。
【００１０】
本発明の更に他の目的は、より小さな部品を使用できる回路を適用する結果としてサイズが小さいが優れた雑音指数を有するチューナモジュールを提供することである。
【００１１】
１つの実施形態では、チューナ入力回路において同調１／２ＲＦトラップ回路が適用される。
【００１２】
他の実施形態では、チューナ入力回路において高帯域スイッチおよび切換可能
ＦＭトラップ回路が適用される。
【００１３】
本発明のこれらの態様および他の態様は、後述する実施形態から明らかであり、当該実施形態を参照しながら上記態様について説明する。
【発明を実施するための最良の形態】
【００１４】
ここで、一例として添付図面を参照しながら本発明について詳細に説明する。図面の全体にわたって、同じ参照符号は、同じ要素、または、ほぼ同じ機能を果たす要素を示している。
【００１５】
図１は従来技術のＲＦ入力回路１００を示している。（ＴＶ−）ＲＦ入力回路１００は、ＴＶ画像・音声中間周波数の信号を抑制するためのＩＦタップフィルタ１０を備えており、このＩＦタップフィルタ１０を介してＲＦアンテナ入力ＲＦＩが高域ｐｉ−領域Ｃ，Ｌ２，Ｌ３の入力に結合される。ｐｉ−領域Ｃ，Ｌ２，Ｌ３は、ｐｉ構成中に、容量直列分岐状態で配置されたキャパシタＣを備えており、このキャパシタＣの一端は、ｐｉ−領域の入力端に接続されるとともに第１の誘導分流分岐部に結合され、キャパシタＣの他端は、ｐｉ−領域の出力端に接続されるとともに第２の誘導分流分岐部に結合されている。Ｐｉ−領域の出力は、いわゆる第１の直列インダクタンスとして機能する結合コイルＬ１を介して第１のＲＦ共振回路１１に結合されている。第１および第２の誘導分流分岐部は、それぞれがいわゆる第２および第３の直列インダクタンスとして機能する結合コイルＬ２，Ｌ３によって構成されている。これらの第１、第２、第３の信号経路は前述した第１のＲＦ共振回路１１と第２および第３のＲＦ共振回路２１，３１とを備えており、各ＲＦ共振回路は、全ての回路に共通の同調電圧Ｖｔｕｎｅからそれぞれ４５−１６０ＭＨｚ（低帯域）、１６０−４７０ＭＨｚ（中間帯域）、４７０−８７０ＭＨｚ（高帯域）の第１、第２、第３のＴＶ周波数帯域Ｉ，ＩＩ，ＩＩＩへと同時に並行同調可能な変換コイルＬ１，Ｌ２，Ｌ３にそれぞれ接続されている。ＲＦ共振回路１１，２１，３１は、結合キャパシタを介して、デュアルゲート電界効果トランジスタＦＥＴ１２，２２，３２の第１のゲート入力に対してそれぞれ結合されている。低帯域はバリキャップＣｖ１およびコイルＬ４によって同調され、コイルＬ１はマッチングコイル（一般に、３００−４００ｎＨ）である。コイルＬ１は、そのサイズに起因して高帯域で自己共振を形成するため、マイクロフォニー効果を防止するために固定（接着）されなければならない。
【００１６】
図２は他の従来技術の（ＴＶ）ＲＦ入力回路２００を示している。図１と比較した２つの違いに気付くことができる。すなわち、コイルＬｓ１，コイルＬｓ２およびキャパシタＣｓは、サージ保護を向上させるために高域ＤＣグランド２１０（ａ  ｐｉ２  ａｒｍ）を形成しており、第３のＴＶ−帯域（コイルＬ３およびコイルＬ６を有する〜２７ＭＨｚのＵＨＦ）にＣＢトラップ２２０を形成するためにキャパシタＣｃｂが加えられている。
【００１７】
図３は、ＴＶ−信号受信に非常に適した本発明に係るＲＦ入力回路３００を示している。ＲＦ入力回路３００は、第１のＲＦ共振回路３３０（一般に高帯域４７０〜８７０ＭＨｚ用の共振回路）と、第２のＲＦ共振回路３４０（一般に中間帯域１６０〜４７０ＭＨｚ用の共振回路）と、第３のＲＦ共振回路３５０（一般に低帯域４５〜１６０ＭＨｚ用の共振回路）とを備えている。
【００１８】
ＲＦ信号は、ＲＦ入力回路３００によりＲＦＩにおいて入力され或いは受信され得る。ＲＦ結合回路回路３１０は、コイルＬｓ１と、コイルＬｓ２と、キャパシタＣｓ２と、キャパシタＣｓとを備えている。コイルＬｓ２およびキャパシタＣｓ２はＣＢトラップ（シチズンのバンドトラップ）を形成している。コイルＬｓ２における一般的な値は１８０ｎＨであり、キャパシタＣｓ２における一般的な値は１８０ｐＦであり、ＣＢトラップの一般的な深さは＞５０ｄＢ＠２７ＭＨｚである。ＩＦトラップ回路３９０は、ＩＦトラップを形成するコイルＬｉｆおよびキャパシタＣｉｆを備えている。ＩＦトラップは、ＲＦＩを通じて誤って受信される場合があるチューナまたはフロントエンド中間周波数（ＩＦ）信号（一般にＰＡＬにおいては約３３〜３９ＭＨｚ、ＮＴＳＣにおいては〜４５．７５ＭＨｚ、日本においては〜５８．７５ＭＨｚ）をフィルタ除去する。コイルＬｉｆにおける一般的な値は１４５ｎＨであり、キャパシタＣｉｆは１２０ｐＦであり、一般的なトラップ深さは＞２０ｓＢである。ＦＭトラップ回路３８０は、ＦＭトラップを形成するコイルＬｔおよびキャパシタＣｔを備えている。キャパシタＣｉｎｆ１，Ｃｉｎｆ２，Ｃｉｎｆ３は、Ｖｒ，Ｖｈｉｇｈ，Ｖｆｍにより投入されたＤＣ信号のためのＤＣ阻止キャパシタとしての機能を果たす。キャパシタＣｉｎｆ２は、低帯域のための更にもう一つのトラップとして構成することができる。実際には、キャパシタＣｉｎｆ２は、ＣＢトラップを形成するためにコイルＬｓ２およびキャパシタＣｓ２と置き換えることができる。すなわち、キャパシタＣｉｎｆ２（およびコイルＬ２＋コイルＬ５）はＣＢトラップとして構成することができ、また、Ｌｓ２およびＣｓ２は他のＣＢトラップまたはＩＦトラップとして構成することができる。入力電圧Ｖｒを印加することができ、また、ダイオードＤｕおよびダイオードＤｆはそれらのバイアスを逆にする。非線形性を避けるため、Ｖｒは一般に約０．５Ｖｃｃ（Ｖｃｃは供給電圧）に設定される。当業者であれば分かるように、ＲＦ入力回路３００の幾つかの場所で、例えばキャパシタＣｉｆまたはコイルＬｉｆの下側にＶｒを投入することができる。
【００１９】
フローティングダイオードは、非線形であり、したがってミキサとしての機能を果たす。これは、十分に負荷されたケーブルに接続される際に有害となる。１２５ｍＶ  ｒｍｓ程度の信号を予期することができ、したがって、ダイオードが０．７Ｖ閾値の近傍をさまよわないように十分な逆バイアスが存在しなければならない。これは、Ｖｈｉｇｈが低く設定される場合のダイオードＤｕのケースであり、および／または、Ｖｆｍが低く設定される場合のダイオードＤｆのケースである。
【００２０】
高帯域において最も関連する仕様：高帯域スイッチ回路３７０はキャパシタＣｕとダイオードＤｕとを備えている。キャパシタＣｕはダイオードＤｕのためのＡＣグランドとしての機能を果たす。高帯域スイッチ（入力Ｖｈｉｇｈを使用する）はキャパシタＣｕをグランドに切り換えることができる。高帯域スイッチがＯＮに設定される（一般的には、ＶｈｉｇｈがＶｃｃに設定される）と、ダイオードＤｕが導通し、キャパシタＣｕがコイルＬ３を最低周波数未満に同調させる。そのため、コイルＬ３は、効果的に、コイルＬ３からのエネルギをコイルＬ６に結合するインダクタとなる。また、高帯域スイッチ回路３７０の後側にある回路（例えば回路３８０，３９０，３４０，３５０）は基本的に高帯域で見えなくなる。これは、これらの回路においてはそれらの設計（部品の選択）が容易になるため有益である。これは、さもなければ、高帯域においてこれらの回路（特に第３のＲＦ共振回路３５０）（の一部）が特定の望ましくないトラップを引き起こす可能性があるからである。高帯域において、結合回路３６０は、高帯域において磁気結合されるコイルＬ３およびコイルＬ６を備えている。他の実施形態（はっきりと示されていない）においては、コイルＬ３がＩＦトラップの（ＲＦＩ入力側から見て）後側に配置されており、当業者であれば分かるように、そのような構成も、キャパシタＣｔおよびキャパシタＣｉｆが比較的大容量（＞１００ｐＦ）であるため効果がある。高帯域スイッチがＯＦＦ（一般に０．２Ｖ）に設定されると、コイルＬ３とコイルＬ６との間の結合が殆ど行なわれず、チューナが中間帯域または低帯域に同調される。逆に、これにより、高帯域スイッチ回路３７０の後側の回路（例えば回路３８０，３９０，３４０，３５０）は第１のＲＦ共振回路３３０が見えなくなる。これは、第１のＲＦ共振回路３３０においてその設計（部品の選択）が容易になるため有益である。これは、さもなければ、中間帯域および／または低帯域においてこれらの回路が特定の望ましくないトラップを引き起こす可能性があるからである。
【００２１】
中間帯域において最も関連する仕様：キャパシタＣｖ１およびコイルＬ４＋Ｌ１は同調回路および整合回路を形成する。ＦＭスイッチを使用してＦＭトラップ３８０をＯＮに切り換えることにより、ＦＣＣにより必要とされる付随するＦＭを抑制することができる。従来技術においてそのようなＦＭトラップを加えると、ＮＦが＞２ｄＢ増大してしまう。本発明のＦＭトラップ３８０はＮＦ（雑音指数）を悪化させない。高帯域または中間帯域が使用される場合、ＦＭトラップ３８０はＦＭスイッチを使用してＯＦＦに切り換えられる（Ｖｆｍ、アクティブローを用いて、その後、Ｖｃｃに設定される）。ＦＭトラップは、ＣＨ６（画像８３．２５ＭＨｚ、音声８７．７５ＭＨｚ）において通常ＯＮである９１〜９２ＭＨｚ前後の単一の固定されたトラップであり、これにより、ＦＭ領域の低い周辺部位のＦＭ信号がこのチャンネルで目に見える障害（混信）を形成しないようにしている。
【００２２】
従来技術では、トラップが適切に機能するように、マッチングコイルのサイズ（図１のＬ１は４００ｎＨとなり得る）に起因して、ＦＭトラップコイルも大きくなければならない。このため、一般に、例えば高いＮＦに起因して、低周波受信を受ける。
【００２３】
コイルＬ４はバリキャップＣｖ１と共に同調１／２ＲＦトラップ回路３２０（この回路は実際には低大域の一部でもある）を形成する。中間帯域に関し、１／２ＲＦトラップ回路３２０は、例えば十分に負荷されたケーブルシステムにおいては、当該システムに対して低い雑音指数低帯域を与えるため、非常に重要である。無線放送において、特に携帯電話において、ＶＨＦ３における同調１／２ＲＦトラップ３２０は大きな利点を与えている。第２高調波（８８Ｘ２．．．．１０８Ｘ２）はアナログおよびデジタルにおいてＶＨＦ３帯域に入る。ケーブルの場合、基本波のこの抑制は、信号強度が二乗検波Ｋ√ｆケーブル損失を伴うようなケーブルが統制されていない状況（数例を挙げると、インド、中国、台湾、アルゼンチン）において重要である。低周波の信号レベルは、高周波よりも十分に高くなり得る。中間帯域における周波数分割およびコイルサイズは、従来技術の中間帯域におけるサイズ（おおよそ、値およびサイズに関して）の約１／２となるように選択される。従来技術において、そのようなサイズのコイルは高帯域のためのトラップ（自己共振）を形成していたが、高帯域スイッチのＯＮへの切り換えに起因して、このトラップ（実際にはその自己共振）は高帯域において見えなくなっていた。バリキャップＣｖ１およびバリキャップＣｖ３においてほぼ同じ値のバリキャップが使用されると、トラッキングトラップが形成される（バリキャップのタイプは必ずしも同じである必要はない；異なるタイプを異なる効果を伴って使用することもできる）。従来技術の比較的大きいインダクタ（例えば図２のＬ３）が除去されて小さなインダクタ（図３のＬ３）に取って代えられているため、雑音指数を改善することができる。この新たな構成の制動抵抗（図３のＲ１）も、ＴＶにおいて必要な同じ帯域幅を得るため、従来技術の制動抵抗の値の約１／２である。
【００２４】
低帯域において最も関連する仕様：キャパシタＣｖ１およびコイルＬ４＋Ｌ１は同調回路および整合回路を形成する。コイルＬ４およびコイルＬ１は、それらの小さな値に起因して、図２のコイルＬ６および図２のコイルＬ３と比較して約半分の物理的サイズである。したがって、従来技術よりも少ないスペースで済む。これは、チューナまたはフロントエンドを小型化するのに大きな利点である。入力電圧Ｖｆｍで低い電圧を印加する（アクティブローＶｆｍが一般に０．２Ｖに設定される）と、ＦＭトラップがＯＮに切り換えられ、そうでなければ、ＦＭトラップはキャパシタＣｉｎｆ１を使用してバイパスされる（アクティブローＶｆｍが一般にＶｃｃに設定される）。これは高品質のＴＶ受信器において有益である。なぜなら、多くのＲＦ入力信号においてトラップが不要だからである。１／２ＲＦトラップと組み合わせた切換可能なＦＭトラップは、強いＦＭ送信信号が例えばＶＨＦ３帯域（１７５−２２４ＭＨｚ）と干渉する場所において特に有益である。そのような信号は、例えばサンパウロや東京等の地域でアナログＴＶ信号を乱す。しかし、ＤＶＢ−Ｔが使用される場所でも、ＦＭとＤＶＢ−Ｔとの間の送信電力の大きな違いに起因して（例えば地下鉄区域において、例えばメガワットＦＭ送信器はＵＳＡに存在する）、切換可能なＦＭトラップは非常に有利である。
【００２５】
ダイオードＤｕを単にキャパシタ（例えばＣｕ２）と置き換えるだけでＵＨＦ（高帯域）のみのチューナを形成することができる。また、第３のＲＦ共振回路（低帯域回路）の一部を除去することにより、高帯域および中間帯域の能力があるチューナを形成することもできる。これは、一般にデジタルチューナ用途においては全ての帯域が使用されるとは限らないため、重要である。これを行なっても、他の帯域の主要な性能に影響を与えることはない。また、ＴＶ入力回路３００は、携帯電話や他の無線放送用途において特に重要な、ＮＦ（雑音指数）に対する高帯域の向上をもたらす。
【００２６】
ＲＦ入力回路３００は従来技術よりも優れた機能を果たす。例えば、米国特許第４，８５１，７９６号は低帯域の下限などでノイズ問題を伴う。また、米国特許第４，８５１，７９６号は、ＵＨＦ  ａｒｍにおけるＣＢトラップに起因する幾つかの問題を有している。例えば中国における幾つかの輸出されたチューナでは、ＮＦ（雑音指数）を改善するために、米国特許第４，８５１，７９６号に記載されたＣＢトラップが除去されている。また、中間帯域におけるＣＢ排除には、何らかのバッファを得るために高域が必要である。これは、ＵＨＦにおけるトラップが十分に高いＱを有していないからである。
【００２７】
低帯域における大きなマッチングコイルは不利であり（例えば従来技術のチューナの雑音指数を参照）、また、自己共振（ＵＨＦ）の問題に起因して、従来のチューナでは高帯域において深刻な受信低下を引き起こすことなくそれを小さくしおよび／またはフラットにすることができない。
【００２８】
ＲＦ入力回路３００は、バンドエッジを含めた全てのチャンネルにおいて最大６のＮＦ（一般的なＮＦは５と同じ低さになり得る）をもって機能する。従来のチューナはＮＦが更に２〜３ｄＢ悪化して機能する。
【００２９】
図４は、同調１／２ＲＦトラップの周波数−振幅図４００の一例を示している。図４００において、１／２ＲＦトラップは、所望の周波数Ｆ−ｗａｎｔｅｄ４１０が１９２ＭＨｚとなり且つトラップ周波数がＦ−ｗａｎｔｅｄ４１０の約半分すなわち９６ＭＨｚのＦ−ｕｎｗａｎｔｅｄ４２０に定められるように同調される。同調１／２ＲＦトラップは、同調トラップを有し且つ信号を所望の周波数の半分に抑制する（一般的に、所望の周波数の信号と比べて少なくとも４０ｄＢの抑制がなされる）フィルタであり、そのため、バリキャップを使用して所望の周波数を同調させることができる。トラップ周波数と所望の周波数とを同時に同調させるために、同じ信号、一般的にはＶ−ｔｕｎｅを使用することができる。図４００において、１／２ＲＦ周波数は１９２／２＝９６ＭＨｚであり、そのため、９６ＭＨｚの信号、このケースではＦＭ帯域の信号が大きく抑制される。可能な限り所望の周波数の半分の信号を退けることが重要である。これは、二次効果により、所望の周波数の半分に定められた信号が所望の信号をもたらすということが悪化するからである。
【００３０】
当業者であれば分かるように、前述した利点を伴うチューナ回路を形成するために、他の方式の回路も考え出すことができる。
【００３１】
以上は、本発明の単なる原理を示している。ここで明示的に説明し或いは図示していないが、本発明の原理を具現化し、したがって本発明の思想および範囲内に入る様々な構成を当業者が考え出すことができることは言うまでもない。
【図面の簡単な説明】
【００３２】
【図１】従来技術のＲＦ入力回路を示している。
【図２】従来技術の他のＲＦ入力回路を示している。
【図３】本発明に係るＲＦ入力回路の一実施形態を示している。
【図４】同調１／２ＲＦトラップの周波数−振幅図の一例を示している。
【符号の説明】
【００３３】
３００  ＲＦ入力回路
３３０  第１のＲＦ共振回路
３４０  第２のＲＦ共振回路
３５０  第３のＲＦ共振回路
３８０  ＦＭトラップ回路
３９０  ＩＦトラップ回路
【図１】
2007538450.tif 000003
【図２】
2007538450.tif 000004
【図３】
2007538450.tif 000005
【図４】
2007538450.tif 000006
【国際調査報告】
2007538450.tif 000007
2007538450.tif 000008